(57)【特許請求の範囲】
【請求項１】
隙間を有して対向するフロア材の端部が嵌入する切欠き部が幅方向両側に形成され、該切欠き部の上方はつば部となった合成樹脂製の敷居であって、
前記つば部の下面の付け根部分に凹部を形成して柔軟性を付与すると共に、該付け根部分の底面からの高さを、前記フロア材の厚みより大きくし、かつ歩行荷重時に前記つば部が弾性変形し、該つば部の先端が前記フロア材の表面と接触することを特徴とする敷居。
【請求項２】
前記切欠き部の垂直面に、前記フロア材の端部に形成された実部に掛合する雌実又は雄実を形成した請求項１記載の敷居。
【発明の詳細な説明】
【０００１】
【発明の属する技術分野】
本発明は、つば部の表面の付け根部分の損傷を防止可能な敷居に関する。
【０００２】
【従来の技術】
従来、引き戸、引き障子などの通る道に使う横木として使用する住宅用の敷居として、図３に示す敷居５０が使用されている。ＡＢＳ樹脂等のプラスチック製からなるこの敷居５０においては、断面視して両端下部が切欠かれて、つば部５１が形成され、フロア材５２の端部５３が、つば部５１と端面５４とにより形成された切欠き部５５に嵌合することによって、段差の少ない床面６２を形成するようにしている。つば部５１の下面５６の付け根部分５７、即ちフロア材５２の端部５３先端上部の角部５８が隣接する部分の形状は、図示の通り、略直角となっている。
【０００３】
【発明が解決しようとする課題】
しかしながら、前記従来の敷居５０においては、未だ解決すべき以下のような問題があった。
即ち、フロア材５２の厚さＴ及び敷居５０の切欠き部５５の高さＨの製作精度の問題で、例えばフロア材５２の厚さＴが許容寸法より小さく製作された場合、つば部５１の下面５６と嵌合するフロア材５２の上面５９との間に大きな隙間Ｇを生じることになる。この状態で、つば部５１の表面６０に歩行等により荷重Ｗが矢印の方向に作用すると、つば部５１の下面５６の付け根部分５７の形状が略直角となっているので、つば部５１の表面６０の付け根部分６１及び下面５６の付け根部分５７はほとんど変形せず、その結果、つば部５１は片持ち梁として作用し、荷重Ｗによって発生する曲げによる引張応力と剪断応力との合成応力に起因して、つば部５１の表面６０の付け根部分６１にひび割れが発生し、短期間の使用による疲労の結果、この個所から破損するという問題があった。
【０００４】
本発明はこのような事情に鑑みてなされたもので、長期間の使用に対して、つば部の表面の付け根部分が損傷しない敷居を提供することを目的とする。
【０００５】
【課題を解決するための手段】
前記目的に沿う請求項１記載の敷居は、隙間を有して対向するフロア材の端部が嵌入する切欠き部が幅方向両側に形成され、該切欠き部の上方はつば部となった合成樹脂製の敷居であって、
前記つば部の下面の付け根部分に凹部を形成して柔軟性を付与すると共に、該付け根部分の底面からの高さを、前記フロア材の厚みより大きくし、かつ歩行荷重時に前記つば部が弾性変形し、該つば部の先端が前記フロア材の表面と接触する。
請求項２記載の敷居は、請求項１記載の敷居において、前記切欠き部の垂直面に、前記フロア材の端部に形成された実部に掛合する雌実又は雄実を形成している。
【０００６】
【発明の実施の形態】
続いて、添付した図面を参照しつつ、本発明を具体化した実施の形態につき説明し、本発明の理解に供する。
ここに、図１は本発明の一実施の形態に係る敷居の断面構造図、図２は同敷居のつば部に荷重が作用した状態の説明図である。
本発明の一実施の形態に係る敷居１０は、図１に示すような断面形状となって、従来の敷居５０と同様に、両端下部が切欠かれて、つば部１１と切欠き部１２とが形成され、図２に示すように、敷居本体１８のつば部１１の下面１３と端面１４とによって形成された切欠き部１２に、フロア材１５の厚みＴを有する端部１６を嵌合することによって段差の少ない床面を形成している。以下、図１及び図２を参照しながら詳細に説明する。
【０００７】
敷居１０を構成する敷居本体１８は、ＡＢＳ樹脂等のプラスチックからなり、上面１９の偏心した位置に逆台形状に窪んだ通路２０が形成されている。
さらに、敷居本体１８の切欠き部１２には、つば部１１の下面１３と端面１４とが交差する付け根部分２４に、陸上競技用のトラックの形状を長手方向の中心で２分割した場合の形状（半トラック形状と呼ぶ、直線部の長さＬ、半径Ｒ）となった凹部が形成され、付け根部分２４の底面２１（即ち、床下地１７面）からの高さをフロア材１５の厚みＴより大きくしている。
つば部１１の下面１３は荷重Ｗが作用しない場合には、図１に示すように、敷居本体１８の上面１９に平行で、下面１３とフロア材１５の上面２８との隙間Ｇ（＝２Ｒ）としている。さらに、端面１４（切欠き部１２の垂直面）の下部には、フロア材１５の端部１６に形成された雄実２５が嵌入する雌実２６が形成され、フロア材１５と敷居本体１８とが固定されている。なお、本実施の形態では、Ｒ＝１．０ｍｍ、Ｌ＝０．５ｍｍとなっている。
【０００８】
かかる構成を有する敷居１０にフロア材１５が嵌合された状態で、図２に示すように、つば部１１の表面２７に歩行等により荷重Ｗが矢印の方向に作用すると、つば部１１の下面１３の付け根部分２４の形状が半トラック形状となった凹部を有しているので、荷重Ｗによってこの凹部の近傍からつば部１１が適度な柔軟性を発揮して弾性変形し、図２に示すように、つば部１１の先端がフロア材１５の上面２８と接触する。
【０００９】
この結果、つば部１１は、一端固定で一端自由の２点支持の梁として作用することになり、荷重Ｗの一部がフロア材１５側（一端自由側）に移動するので、つば部１１の下面１３の付け根部分２４（一端固定側）に発生する応力が緩和されることになる。従って、従来のように、つば部５１が片持ち梁として作用して、荷重Ｗの分散がないために、つば部５１の表面６０の付け根部分６１にひび割れが発生し、短期間の使用でこの個所から破損するという問題が解消され、その結果、つば部１１の表面２７の付け根部分２９の損傷を防止することが可能となる。荷重Ｗの作用が無くなると、元通りの状態、即ち、つば部１１の下面１３がフロア材１５の上面２８と略平行となる。
【００１０】
本実施の形態において、凹部の半トラック形状の直線部の長さＬ、半径Ｒ、隙間Ｇは、敷居本体の材料特性、つば部のサイズ、荷重Ｗの大きさ、使用状態等の設計仕様に基づいて適宜決定される。また、つば部の断面形状は本実施の形態においては三角形状としたが、使用上問題がなければ、棒状や台形状とすることもできる。
また、凹部の形状は前記半トラック形状に限定されず、例えば半円形状、半楕円形状、さらに、角部にＲ加工をした三角、四角形状等、応力集中を避けた形状として、つば部の下面の付け根部分に適度な柔軟性を付与できる形状とすることができる。
【００１１】
本実施の形態において、荷重Ｗが作用しない時には、つば部１１の先端下面はフロア材１５の上面２８と隙間を有するものとして説明したが、先端が接触していてもよい。
さらに、敷居本体の材質はＡＢＳ樹脂等のプラスチックに限定されず、その他同様の性状を有する材料を使用することができる。
本実施の形態において、つば部の下面とフロア材の上面とは略水平となるようにしているが、嵌合に問題がなければ、傾斜させることもできる。
また、敷居本体の切欠き部の端面には、フロア材の端部に形成された雄実に嵌入する雌実を形成しているが、雌実と雄実を逆に形成することもできる。また、雌実又は雄実を切欠き部の端面及びフロア材の端部に形成しないこともできる。なお、製作上又は据付上の問題により、つば部の下面とフロア材の上面との間の隙間が所定の隙間より大きい場合には、つば部の下面又はフロア材の上面に隙間調整用のライナーを取付けることができる。
【００１２】
【発明の効果】
請求項１及び２記載の敷居においては、隙間を有して対向するフロア材の端部が嵌入する切欠き部の上方のつば部の下面の付け根部分に凹部を形成して柔軟性を付与すると共に、付け根部分の底面からの高さを、フロア材の厚みより大きくしているので、歩行等により荷重が作用すると、つば部が弾性変形し、つば部の先端がフロア材の表面と接触するため、つば部は、一端固定で一端自由の２点支持の梁として作用する。従って、従来のように、つば部が片持ち梁として作用して、荷重の分散がないために、つば部の表面の付け根部分にひび割れが発生し、短期間の使用でこの個所から破損するという問題が解消される。
特に、請求項２記載の敷居においては、切欠き部の垂直面に、前記フロア材の端部に形成された実部に掛合する雌実又は雄実を形成しているので、敷居本体とフロア材との固定作業が容易となると共に、つば部の下面とフロア材の上面との隙間の設定が簡単である。
【図面の簡単な説明】
【図１】本発明の一実施の形態に係る敷居の断面図である。
【図２】同敷居のつば部に荷重が作用した状態を説明する部分断面図である。
【図３】従来例に係る敷居のつば部に荷重が作用した状態を説明する部分断面図である。
【符号の説明】
１０  敷居                          １１  つば部
１２  切欠き部                      １３  下面
１４  端面                          １５  フロア材
１６  端部                          １７  床下地
１８  敷居本体                      １９  上面
２０  通路                          ２１  底面
２４  付け根部分                    ２５  雄実
２６  雌実                          ２７  表面
２８  上面                          ２９  付け根部分
【図１】
0003933780.tif 000002
【図２】
0003933780.tif 000003
【図３】
0003933780.tif 000004